(57)【要約】【課題】圃場面に対する角度を、アッパリンクに設けられたトラクタ側伸縮具で調整することなく、圃場作業機側で簡単に調整することのできる圃場作業機を実現する。【解決手段】マスト１１及び左右のロアリンク支持ブラケット１２は、３点ヒッチリンク３のアッパリンク４及びロアリンク５に取り付けられており、マスト１１と作業機側伸縮具支持ブラケット１７との間に、前後方向に長さが調整可能な作業機側伸縮具１８が設けられており、作業機側伸縮具１８の長さを調整することにより、３点ヒッチリンク３、マスト１１及び左右のロアリンク支持ブラケット１２に対して、前後のフレーム６、７を上下方向に回転し、圃場面に対するスタブルカルチ作業機の角度を調整可能とする。【選択図】図１
2014180230.tif 000002
【特許請求の範囲】
【請求項１】
フレームと、フレームに回転可能に取り付けられた左右のロアリンク支持ブラケットと、左右のロアリンク支持ブラケットに固定されたマストと、フレームに固定された作業機側伸縮具支持ブラケットと、作業機側伸縮具と、フレームに支持された耕耘用の作業具と、を備え、トラクタに取り付けられた３点ヒッチリンクを介してトラクタに連結される圃場作業機であって、
マストは３点ヒッチリンクのアッパリンクに取り付けられ、左右のロアリンク支持ブラケットは３点ヒッチリンクのロアリンクに取り付けられており、
マストと作業機側伸縮具支持ブラケットとの間に、前後方向に長さが調整可能な作業機側伸縮具が設けられており、
作業機側伸縮具の長さを調整することにより、３点ヒッチリンク、マスト及び左右のロアリンク支持ブラケットに対して、フレームを上下方向に回転し、圃場面に対する圃場作業機の角度を調整可能とすることを特徴とする圃場作業機。
【請求項２】
前記フレームは、前方フレーム、後方フレーム及び前方フレームと後方フレームを結合する前後方向に向けて配置された左右の結合フレームを有し、
ロアリンク支持ブラケットは、結合フレームに回転可能に取り付けられており、
作業機側伸縮具支持ブラケットは、後方フレームに固定されていることを特徴とする請求項１に記載の圃場作業機。
【請求項３】
左右のロアリンク支持ブラケットの間にマスト固定軸が架け渡されて固定されており、該マスト固定軸にマストが固定されていることを特徴とする請求項１又は２に記載の圃場作業機。
【請求項４】
作業機側伸縮具は、ハンドルを備えた筒部、前方杆及び後方杆を備え、筒部の前端側と後端側には、互いに逆方向のネジが形成されており、筒部の前端側には前方杆の後部が螺着され、筒部の後端端側には後方杆の前部が螺着されている構成であることを特徴とする請求項１〜３のいずれかに記載の圃場作業機。  
【請求項５】
マストが取り付けられるアッパリンクには、トラクタ側伸縮具が設けられていることを特徴とする請求項１〜４のいずれかに記載の圃場作業機。
【請求項６】
フレームに支持された耕耘用の作業具は、ビームと、該ビームに取付けられたチゼルを備えていることを特徴とする請求項１〜５のいずれかに記載の圃場作業機。
【発明の詳細な説明】
【技術分野】
【０００１】
本発明は、スタブルカルチ作業機、サブソイラ作業機のような圃場作業機に関する。
【背景技術】
【０００２】
圃場の比較的浅い地中に対する耕耘作業を行うための圃場作業機として、スタブルカルチ作業機が知られている（特許文献１参照）。また、粗耕起の圃場作業機として、サブソイラ作業機が知られている（特許文献２、３参照）。
【０００３】
圃場作業機の一例であるスタブルカルチ作業機の従来例を図４及び図５に示す。この従来例のスタブルカルチ作業機４０の全体構成は、本願発明における圃場作業機の実施例として後記するスタブルカルチ作業機１と、ほぼ同じ構成であるので、ここではその説明は略す。
【０００４】
従来のスタブルカルチ作業機４０は、図４及び図５に示すように、３点ヒッチリンク３を介してトラクタ２に連結する。具体的には、スタブルカルチ作業機４０のマスト４１及びロアリンク支持ブラケット１２を、３点ヒッチリンク３のアッパリンク４及びロアリンク５に取り付けて、これによってスタブルカルチ作業機４０をトラクタに接続する。
【０００５】
ところで、圃場作業機で圃場を耕耘する際に、圃場の土の状態（土壌の硬さや水捌け等）及び作付けする作物の種類等に応じて、耕耘の深さを調整する必要がある。また、耕起作業時に圃場面に対して、圃場作業機（例えば、スタブルカルチ作業機、サブソイラ作業機）を水平にして、耕起作業をするように調整する必要がある。
【０００６】
それは、耕起深さを一定にすることで、つまり作土の深さを一定にすることで、作物の収量の差が発生しなしように、圃場の土壌を同一条件にするたである。
【０００７】
このために、耕起作業時において、スタブルカルチ作業機４０の場合は、図４及び図５に示すように、アッパリンク４に設けられたトラクタ側伸縮具２９によってアッパリンク４の長さを調整して、ロアリンク支持ブラケット１２をロアリンク５に回動可能に取り付けるロアリンク取付け用ピン２０を中心に、スタブルカルチ作業機４０全体を上下方向に回動して、圃場面に対して水平になるようにスタブルカルチ作業機４０の角度を調整する。
【０００８】
なお、トラクタ側伸縮具２９はターンバックルと同じ構成（後記実施例を参照）でもよいし、トラクタの操作室から長さの調整が可能な油圧シリンダを利用した伸縮具であってもよい。
【先行技術文献】
【特許文献】
【０００９】
【特許文献１】特開２０１０−０９４０３６号公報
【特許文献２】特開２００１−１４８９０１号公報
【特許文献３】特開２０００−２７０６０２号公報
【発明の概要】
【発明が解決しようとする課題】
【００１０】
従来の圃場作業機では、図４及び図５においてスタブルカルチ作業機４０の例で説明したとおり、アッパリンク４に設けられたトラクタ側伸縮具２９によってアッパリンク４の長さを調整して、スタブルカルチ作業機４０全体を上下方向に回動して、耕起作業時の圃場面に対するスタブルカルチ作業機４０の角度を調整していた。
【００１１】
しかしながら、アッパリンク４のトラクタ側伸縮具２９は、通常はトラクタ２の付属具として設けられており、トラクタ２のタイヤ等で囲まれたスペース内で調整作業を行う必要があり、作業がしにくいことや、トラクタに装着する作業機ごとにアッパリンク４の長さを調整しなけければならないという問題がある。
【００１２】
そのために、実情としては、アッパリンク４のトラクタ側伸縮具２９は、一定の調整状態に維持して放置してしまい、圃場作業機のスタブルカルチ等の耕耘用の作業具の角度を調整できればきめ細かい耕耘深さが得られるべきところ、面倒であるために調整をせずに圃場作業を行うようなことが多い。
【００１３】
また、アッパリンク４のトラクタ側伸縮具２９は、これによって、大まかに圃場面に対する圃場作業機の作業具の角度を調整するが、さらにきめ細かく調整したい場合がある。このような場合には、アッパリンク４のトラクタ側伸縮具２９の調整だけでは限界がある。
【００１４】
これらの圃場作業機を牽引するトラクタの馬力帯を使用している農家は、ロータリ作業機を使用するのに、いわゆるクイックヒッチを利用するので、ほとんどトラクタ側伸縮具２９を調整することなく、メインテナンスもしないで作業することが多く、圃場作業機等の他の作業機を装着しようとすると、なかにはトラクタ側伸縮具２９が動かなくなってしまっている等の問題があった。
【００１５】
本発明は、上記従来の問題を解決することを目的とするものであり、圃場面に対する圃場作業機の作業具の角度を、アッパリンクに設けられたトラクタ側伸縮具で調整することなく、或いはトラクタ側伸縮具による調整に加えて、圃場作業機側で簡単に調整することのできる圃場作業機を実現することを課題とする。
【課題を解決するための手段】
【００１６】
本発明は上記課題を解決するために、フレームと、フレームに回転可能に取り付けられた左右のロアリンク支持ブラケットと、左右のロアリンク支持ブラケットに固定されたマストと、フレームに固定された作業機側伸縮具支持ブラケットと、作業機側伸縮具と、フレームに支持された耕耘用の作業具と、を備え、トラクタに取り付けられた３点ヒッチリンクを介してトラクタに連結される圃場作業機であって、マストは３点ヒッチリンクのアッパリンクに取り付けられ、左右のロアリンク支持ブラケットは３点ヒッチリンクのロアリンクに取り付けられており、マストと作業機側伸縮具支持ブラケットとの間に、前後方向に長さが調整可能な作業機側伸縮具が設けられており、作業機側伸縮具の長さを調整することにより、３点ヒッチリンク、マスト及び左右のロアリンク支持ブラケットに対して、フレームを上下方向に回転し、圃場面に対する圃場作業機の角度を調整可能とすることを特徴とする圃場作業機を提供する。
【００１７】
前記フレームは、前方フレーム、後方フレーム及び前方フレームと後方フレームを結合する前後方向に向けて配置された左右の結合フレームを有し、ロアリンク支持ブラケットは、結合フレームに回転可能に取り付けられており、作業機側伸縮具支持ブラケットは、後方フレームに固定されている構成としてもよい。
【００１８】
左右のロアリンク支持ブラケットの間にマスト固定軸が架け渡されて固定されており、該マスト固定軸にマストが固定されている構成としてもよい。
【００１９】
作業機側伸縮具は、ハンドルを備えた筒部、前方杆及び後方杆を備え、筒部の前端側と後端側には、互いに逆方向のネジが形成されており、筒部の前端側には前方杆の後部が螺着され、筒部の後端端側には後方杆の前部が螺着されている構成としてもよい。  
【００２０】
マストが取り付けられるアッパリンクには、トラクタ側伸縮具が設けられている構成としてもよい。
【００２１】
フレームに支持された耕耘用の作業具は、ビームと、該ビームに取付けられたチゼルを備えている構成としてもよい。
【発明の効果】
【００２２】
本発明によると、スタブルカルチ作業機、サブソイラ作業機等の圃場作業機のスタブルカルチ、サブソイラ等の作業具の圃場面に対する角度を、アッパリンクの伸縮具で調整することなく、或いはアッパリンクの伸縮具で調整に加えて、圃場作業機側で簡単に調整することができる。                           
【図面の簡単な説明】
【００２３】
【図１】本発明に係る圃場作業機の一実施例であるスタブルカルチ作業機の耕起作業時の斜視図である。
【図２】上記実施例のスタブルカルチ作業機の耕起作業時の平面図である。
【図３】上記実施例のスタブルカルチ作業機の耕起作業時の側面図である。
【図４】従来のスタブルカルチ作業機の作用を説明する耕起作業時の斜視図である。
【図５】従来のスタブルカルチ作業機の作用を説明する耕起作業時の側面図である。
【発明を実施するための形態】
【００２４】
本発明に係る圃場作業機を実施するための形態を実施例に基づき図面を参照して、以下説明する。
【実施例】
【００２５】
本発明に係る圃場作業機として、本実施例では、耕耘のための作業具として掘削ユニット（後記するがビーム、カットナイフ、チゼル及びウイングを備えた作業具）を備えたスタブルカルチ作業機を、図１〜図３において説明する。
【００２６】
本明細書では、左右は、スタブルカルチ作業機の作業時の進行方向に向かって左側右側（左右方向はスタブルカルチ作業機の作業時の進行方向に直交する方向）とし、前後（前方及び後方）は、スタブルカルチ作業機の作業時の進行方向に向かって前後（前方及び後方）であるものとする。
【００２７】
本実施例のスタブルカルチ作業機１は、圃場における作業で使用される際には、図１〜３に示すように、トラクタ２に、３点ヒッチリンク３を介して連結される。３点ヒッチリンク３は、アッパリンク４とロアリンク５とを備えている。アッパリンク４には、トラクタ側伸縮具２９が設けられており、アッパリンク４の長さが伸縮可能である。
【００２８】
スタブルカルチ作業機１は、主な構成要素として、図１〜図３に示すように、前方フレーム６及び後方フレーム７と、左右の外側結合フレーム８と、左右の内側結合フレーム９と、複数の取付けアーム１０と、マスト１１と、左右のロアリンク支持ブラケット１２と、作業機側伸縮具１８と、作業機側伸縮具支持ブラケット１７と、複数の前方掘削ユニット１３及び後方掘削ユニット１４と、左右の連結プレート１５と、砕土鎮圧用ローラ装置１６を備えている。               
【００２９】
前方フレーム６及び後方フレーム７は、それぞれ左右方向に向けて水平に配置されている。左右の内側結合フレーム９は、それぞれ前方フレーム６と後方フレーム７を結合するように前後方向に向けて配置されている。
【００３０】
左右の外側結合フレーム８は、それぞれ前方フレーム６と後方フレーム７を結合するように前後方向に向けて配置されている。左右の外側結合フレーム８の後端には、左右の連結プレート１５を介して砕土鎮圧用ローラ装置１６が取付けられている。
【００３１】
複数の取付けアーム１０は、図１〜図３に示すように、左右方向に向けて間隔をおいて後方フレーム７に固定されており、しかも下方かつ交互に前方及び後方に向けて固定されている。
【００３２】
即ち、後方フレーム７の左右端寄り及び中央に、それぞれ取付けアーム１０が下方かつ前方に伸びるように取付けられており、後方フレーム７の左右の内側寄りに、それぞれ取付けアーム１０が下方かつ後方に伸びるように取付けられている。
【００３３】
前方掘削ユニット１３及び後方掘削ユニット１４は、耕耘用の作業具を構成するものであり、それぞれ取付けアーム１０を介して、後方フレーム７に取付けられ、図２に示すように、平面視の左右方向において、交互に配置されている。
【００３４】
前方掘削ユニット１３は、取付けアーム１０の側面に固定されたビーム２１、チゼル２５、ウイング３０及びカットナイフ２６を有する。同様に、後方掘削ユニット１４は、取付けアーム１０の側面に固定されたビーム２１、チゼル２５、ウイング３０及びカットナイフ２６を有する。
【００３５】
図３に示すように、左右のロアリンク支持ブラケット１２は、それぞれその後端が左右の内側結合フレーム９の前端部に枢支軸１９によって回転可能に取り付けられている。図２及び図３に示すように、左右のロアリンク支持ブラケット１２の前端には、ロアリンク取付け用ピン２０が設けられ、このロアリンク取付け用ピン２０によって、ロアリンク５に連結される。
【００３６】
図２及び図３に示すように、左右のロアリンク５の支持ブラケット１２の間には、マスト１１を固定するマスト固定軸２３が架け渡されて固定されている。このマスト固定軸２３に、マスト１１の下端部が上方に向けて伸びるように固定されている。
【００３７】
マスト１１の上下方向の中程には、アッパリンク取付け用ピン用のピン孔が設けられている。マスト１１は、このピン孔に挿通するアッパリンク取付け用ピン２４によってアッパリンク４に回転可能に取り付けられている。マスト１１の上端部には、作業機側伸縮具取付け用の前方ピン２７のピン孔が設けられている。         
【００３８】
作業機側伸縮具支持ブラケット１７は、後方フレーム７の左右方向中央に上方に向けて固定されている。作業機側伸縮具支持ブラケット１７には、作業機側伸縮具取付け用の後方ピン２８用のピン孔が設けられている。
【００３９】
作業機側伸縮具１８は、ターンバックルと同じ構成であり、図２及び図３に示すように、ハンドル３１を備えた筒部３２、前方杆３３及び後方杆３４を備えており、筒部３２の前端側と後端側には、互いに逆方向のネジが形成されている。筒部３２の前端側には前方杆３３の後部が螺着され、筒部３２の後端側には後方杆３４の前部が螺着されている。  
【００４０】
作業機側伸縮具１８は、ハンドル３１で一方に回転すると、その長さが短くなり、他方に回転するとその長さが長くなる。なお、作業機側伸縮具１８は、上記のとおりターンバックルと同じ構成であってもよいし、油圧シリンダ（図示せず）を利用した伸縮具であってもよい。 
【００４１】
作業機側伸縮具１８の前方杆３３は、作業機側伸縮具取付け用前方ピン２７によってマスト１１の上端部に回転可能に取り付けられている。また、作業機側伸縮具１８の後方杆３４は、作業機側伸縮具取付け用後方ピン２８によって作業機側伸縮具支持ブラケット１７に回転可能に取り付けられている。
【００４２】
（作用）               
以上の構成から成るスタブルカルチ作業機１の作用を説明する。圃場における耕耘作業を行うに際しては、まず、スタブルカルチ作業機１を、トラクタ２に３点ヒッチリンク３を介して連結する。
【００４３】
具体的には、まず、スタブルカルチ作業機１の左右のロアリンク支持ブラケット１２をロアリンク取付け用ピン２０によってロアリンク５に取付ける。次に、マスト１１をアッパリンク取付け用ピン２４によってアッパリンク４に取付ける。
【００４４】
そして、耕起の姿勢を調整するために、圃場面に対するスタブルカルチ作業機１の角度を調整する。そのために、作業機側伸縮具１８のハンドル３１を回転して、一方又は他方に回転する。すると、前方杆３３及び後方杆３４が、筒部３２内に引き込まれる（図３の太い実線の矢印参照）又は引き出され（図３の細い実線の矢印参照）て、作業機側伸縮具１８の全体の長さが短く又は長くなる。
【００４５】
例えば、図３において、作業機側伸縮具１８の全体の長さが短くなる（図３の太い実線の矢印参照）と、左右のロアリンク支持ブラケット１２、マスト固定軸２３及びマスト１１は、３点ヒッチリンク３で支持されているために動くことがないが、左右のロアリンク支持ブラケット１２に対して、枢支軸１９を中心に、左右の内側結合フレーム９とともに、左右の外側結合フレーム８、前方フレーム６、後方フレーム７、左右の連結プレート１５及び砕土鎮圧用ローラ装置１６が、一体で反時計回りに回動する（図３の太い実線の矢印U参照）。
【００４６】
これに伴い、スタブルカルチ作業機１は、図３において枢支軸１９を中心に、反時計回りに回動し、圃場面に対するスタブルカルチ作業機１の角度を変え、高さは高くなり、耕起作業時に圃場と水平になるように調整できる。
【００４７】
逆に、図３において、作業機側伸縮具１８の全体の長さが長くなる（図３の点線の細い矢印参照）と、左右のロアリンク支持ブラケット１２に対して、枢支軸１９を中心に、左右の内側結合フレーム９とともに、左右の外側結合フレーム８、前方フレーム６、後方フレーム７、左右の連結プレート１５及び砕土鎮圧用ローラ装置１６が、一体で時計回りに回動する（図３の細い実線の矢印D参照）。
【００４８】
これに伴い、スタブルカルチ作業機１は、図３において枢支軸１９を中心に、時計回りに回動し、圃場面に対するスタブルカルチ作業機１の角度を変え、高さは低くなり、耕起作業時に圃場と水平になるように調整できる。
【００４９】
本発明のスタブルカルチ作業機１によれば、トラクタ２の３点ヒッチリンク３におけるアッパリンク４のトラクタ側伸縮具２９で調整する必要はなく、アッパリンク４のトラクタ側伸縮具２９は一定の長さにしておいても、作業機側伸縮具１８の長さを調整することで、トラクタ２の車輪等に邪魔されることなく、圃場面に対するスタブルカルチ作業機１の角度を、簡単に調整できる。
【００５０】
従って、アッパリンク４にトラクタ側伸縮具２９が設けられていないトラクタ２の３点ヒッチリンク３を使用している場合、或いはアッパリンク４にトラクタ側伸縮具２９が設けられていてもその調整作業が面倒な場合（錆び付いていて調整しにくい、トラクタ２の車輪の傍で調整しにくい、油圧利用の伸縮具の場合油圧機構の故障で調整できない場合等）あっても、作業機側伸縮具１８の長さ調整をするだけで、圃場面に対するスタブルカルチ作業機１の角度を、簡単に調整できる。
【００５１】
また、アッパリンク４にトラクタ側伸縮具２９が設けられており、その調整作業に加えて、さらに作業機側伸縮具１８の長さ調整をすることも可能となる。
【００５２】
以上、本発明に係る圃場作業機を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５３】
本発明に係る圃場作業機は上記のような構成であるから、スタブルカルチ作業機に限らず、サブソイラ作業機、スタブルカルチ作業機兼用のサブソイラ作業機等、その他の耕耘のための作業具を備えた圃場作業機にも適用可能であり、その作業具による耕耘深さを調整することができる。
【符号の説明】
【００５４】
１  スタブルカルチ作業機
２  トラクタ
３  ３点ヒッチリンク
４  アッパリンク
５  ロアリンク
６  前方フレーム
７  後方フレーム
８  左右の外側結合フレーム
９  左右の内側結合フレーム
１０  取付けアーム
１１  マスト
１２  左右のロアリンク支持ブラケット
１３  前方掘削ユニット
１４  後方掘削ユニット
１５  左右の連結プレート
１６  砕土鎮圧用ローラ装置
１７  作業機側伸縮具支持ブラケット
１８  作業機側伸縮具
１９  枢支軸
２０  ロアリンク取付け用ピン
２１  ビーム
２３  マスト固定軸
２４  アッパリンク取付け用ピン
２５  チゼル
２６  カットナイフ
２７  作業機側伸縮具取付け用の前方ピン
２８  作業機側伸縮具取付け用の後方ピン
２９  トラクタ側伸縮具
３０  ウイング
３１  ハンドル
３２  筒部
３３  前方杆
３４  後方杆
４０  従来のスタブルカルチ作業機
４１  従来のスタブルカルチ作業機のマスト
【図１】
2014180230.tif 000003
【図２】
2014180230.tif 000004
【図３】
2014180230.tif 000005
【図４】
2014180230.tif 000006
【図５】
2014180230.tif 000007